(57)【要約】【課題】火災時に障子の枠材が変形した場合でも、枠体と障子との間に隙間が生じることを抑制する。【解決手段】  枠体と障子との間に配置されて障子の反りを防止する移動規制部品を設け、移動規制部品を、枠体の下枠の内周面に設けられた起立片と、障子の下框の外周面に設けられ起立片と干渉する垂下片を有するものとする。【選択図】図８
2019151978.tif 000002
【特許請求の範囲】
【請求項１】
枠体と、障子と、枠体と障子との間に配置されて障子の反りを防止する移動規制部品とを備え、
移動規制部品は、枠体の下枠の内周面に設けられた起立片と、障子の下框の外周面に設けられ起立片と干渉する垂下片を有する
防火建具。
【発明の詳細な説明】
【技術分野】
【０００１】
本発明は、建物開口部に配置される防火建具に関する。
【背景技術】
【０００２】
建物開口部に配置される建具として、枠体に対して障子を摺動自在に吊り下げ支持してなる建具が公知となっている。（特許文献１）。
【先行技術文献】
【特許文献】
【０００３】
【特許文献１】特開２０１６−２２３０６７号
【発明の概要】
【発明が解決しようとする課題】
【０００４】
上記特許文献１の建具は、火災時に障子の框材が伸びたり、障子が反ったりして障子と枠体との間に隙間が生じ、室内外が連通して延焼の危険性があった。
【０００５】
本発明は、上記の事情を鑑み、火災時に障子の框材に反り等が生じることを抑え、枠体と障子との間に隙間が生じることを抑制することを目的とする。
【課題を解決するための手段】
【０００６】
本発明の一実施形態は、枠体と、障子と、枠体と障子との間に配置されて障子の反りを防止する移動規制部品とを備え、移動規制部品は、枠体の下枠材の内周面に設けられた起立片と、障子の下框材の外周面に設けられ起立片と干渉する垂下片を有する防火建具である。
【発明の効果】
【０００７】
本実施形態の建具の構成により、火災時に障子が火炎に晒されても、枠体と障子との間で室内外が連通することを抑制することができる。
【図面の簡単な説明】
【０００８】
【図１】本発明の一実施形態の建具の内観姿図であり、（ａ）は全体の内観姿図、（ｂ）は採風開口部を開口した状態の内観姿図である。
【図２】本発明の一実施形態の建具の竪断面図である。
【図３】本発明の一実施形態の建具の横断面図である。
【図４】本発明の一実施形態の建具の上辺部分の竪断面図である。
【図５】本発明の一実施形態の建具の下辺部分の竪断面図である。
【図６】本発明の一実施形態の建具の左辺部分の横断面図である。
【図７】本発明の一実施形態の建具の右辺部分の横断面図である。
【図８】本発明の一実施形態の建具の竪断面図であり、（ａ）は下辺部分の移動規制部品が配置された部分の竪断面図であり、（ｂ）は移動規制部品８が配置された部分の拡大竪断面図である。
【図９】本発明の一実施形態の建具の移動規制部品の図であり、（ａ）は分解斜視図であり、（ｂ）は障子の移動を規制している状態の斜視図である。
【発明を実施するための形態】
【０００９】
本発明の一実施形態の防火建具について、図面を参考に説明する。
本発明の一実施形態に係る防火建具は、図１（ａ）に示すように、建物開口部の内周面に配置される枠体１の内側にヒンジ１ａにより開閉可能に支持されたドア２と、ドア２に摺動自在に内装された障子３を備える。
ドア２は、右竪ドア枠２４にドア２を開閉するためのハンドル２４ａが設けられ、ハンドル２４ａの内周側には障子３の右辺部を収容する戸袋６を備えている。
そして、障子３を摺動させて右方へ移動させることで障子３の右辺部分が戸袋６内に収納され、図１（ｂ）に示すように、ドア２の左部分に採風開口部７が形成される。
【００１０】
図２及び３に示すように、枠体１は、上，下枠１１，１２と左，右竪枠１３，１４を備えており、各枠材は、アルミ合金等の金属材料からなる室外側枠材１１１，１２１，１３１，１４１と合成樹脂等からなる室内側枠材１１２，１２２，１３２，１４２を有している。
【００１１】
ドア２は、上，下ドア枠２１，２２と左、右竪ドア枠２３，２４を備え、各ドア枠の内周が開口部として形成されており、ドア２の各ドア枠の内周に形成された開口部には、障子３が摺動自在に内装されている。
右竪ドア枠２４にドア２を開閉する操作するハンドル２４ａが設けられており、ハンドル２４ａの内周側に障子３を収容する戸袋６を有している。
また、ドア２の開口部の室外側面には、網戸４が設けられている。
【００１２】
障子３は、上，下框３１，３２と左，右竪框３３，３４を備え、各框の内周に複層パネル等のパネル３５が配置されている。障子３の上框３１は、戸車３１ａを有し上ドア枠２１に設けられたレール２１ａ上に走行自在に載置されており、障子３の下框３２は、下ドア枠２２に配置されたガイドローラ２２ａによって案内されている。
障子３の右竪框３４はドア２の右竪ドア枠２４に設けられた戸袋６内に位置しており、左竪框３３には、被ロック部３３ａが設けられ、左竪ドア枠２３に配置されたロック部材２３ａを係合することで、障子３がドア２の採風開口部７を閉鎖した状態でロックされる。（なお、図１においては、ロック部材２３ａ及び被ロック部３３ａは省略している。）
【００１３】
−上辺部分−
本実施形態の建具の上辺部分について、図４を参考に、以下に説明する。
上枠１１の室外側枠材１１１の室外側には、ドア２の上ドア枠２１に当接する気密材が取り付けられており、内周面には、加熱膨張材がホルダーによって保持されている。また、上枠１１の室内側枠材１１２の室外側面には、ドア２の上ドア枠２１の室内側面に当接する気密材が取り付けられており、気密材の上方位置から室内側部材の内周は、室外側枠材１１１にビス等で固定されたステンレス等の金属材料からなる補強部材によって覆われている。
【００１４】
ドア２の上ドア枠２１は、上ドア枠本体２１１と、上ドア枠本体２１１の室内側に取り付けられた室内側上ドア枠２１２と、上ドア枠本体２１１の室外側に取り付けられた室外側上ドア枠２１３を備えている。
上ドア枠本体２１１は、アルミ合金等の金属材料からなり、外周側（上方）に上枠１１の室外側枠材１１１に取り付けられた気密材が当接する突出片を有するとともに、障子３の戸車３１ａを案内するレール２１ａを有している。また、上ドア枠本体２１１の室外側上端には、気密材が配置されている。
【００１５】
室内側上ドア枠２１２は、樹脂材料からなり、上ドア枠本体２１１の室内側面を覆い、上ドア枠２１の室内側壁面を形成している。室内側上ドア枠２１２の上面は、上ドア枠本体２１１にビス等で固定されたステンレス等の金属材料からなる補強部材により覆われており、補強部材の上面に加熱により膨張する加熱膨張材が配置されている。
【００１６】
室外側上ドア枠２１３は、アルミ合金等の金属材料からなり、上方部位に上ドア枠本体２１１と係合する係合部を有し、上ドア枠本体２１１に係合することで、上ドア枠２１の室外側壁面を形成している。室外側上ドア枠２１３の室内側面には、長手方向に２条のホルダー２１３ａ，２１３ｂが形成されており、２条のホルダー２１３ａ，２１３ｂ及び両ホルダー間には、加熱により膨張する加熱膨張材が配置されている。
【００１７】
上ドア枠２１の室外側に、網戸４の網戸上枠４１が配置されている。網戸上枠４１は、中矩形状を有し、網戸上枠４１の室内側面に上ドア枠２１の上ドア枠本体２１１と室外側上ドア枠２１３との係合部分に対向するように加熱膨張材が配置されている。
【００１８】
障子３の上框３１は、アルミ合金等の金属材料からなり中空部を有する室外側上框３１１と、樹脂材料からなり中空部を有する室内側上框３１２と、アルミ合金等の金属材料からなり室外側上框３１１の室外側下面に取り付けられる押縁３１３を有し、室外側上框３１１の中空部内にはスチール等の金属材料からなる補強部材が配置されている。上框３１の内周にパネル３５を保持するパネル間口が形成され、パネル間口内に、室内側上框３１２の内周面を覆うステンレス等の金属材料からなる補強部材が室外側上框３１１及び室外側上框３１１内に配置された補強部材にビス等で固定されて配置されている。
【００１９】
−下辺部分−
本実施形態の建具の下辺部分について、図５を参考に、以下に説明する。
下枠１２の室外側枠材１２１の室外側には、ドア２の下ドア枠２２に当接する気密材が取り付けられている。また、下枠１２の室内側枠材１２２の室外側には、ドア２の下ドア枠２２の室内側面に当接する気密材が取り付けられている。
【００２０】
ドア２の下ドア枠２２は、下ドア枠本体２２１と、下ドア枠本体２２１の室内側に取り付けられた室内側下ドア枠２２２と、下ドア枠本体２２１の室外側に取り付けられた室外側下ドア枠２２３を備えている。
下ドア枠本体２２１は、アルミ合金等の金属材料からなり、中空部を有しており、外周側（下方）に下枠１２の室外側枠材１２１に取り付けられた気密材が当接する突出片を有している。中空部内にスチール等の金属材料からなる補強部材が配置されており、内周側（上方）には、障子３を案内するガイドローラ２２ａが固定されている。なお、ガイドローラ２２ａは、中空部内の補強部材に固定することで、さらに強固に固定することができる。
【００２１】
室内側下ドア枠２２２は、樹脂材料からなり、下ドア枠本体２２１の室内側面を覆い、下ドア枠２２の室内側壁面を形成している。室内側下ドア枠２２２の下面は、下ドア枠本体２２１にビス等により固定されたステンレス等の金属材料からなる補強部材により覆われている。
【００２２】
室外側下ドア枠２２３は、アルミ合金等の金属材料からなり、下方部位に下ドア枠本体２２１と係合する係合部を有している。そして、室外側下ドア枠２２３は、係合部が下ドア枠本体２２１に係合されるとともに、ビス等により固定され、下ドア枠２２の室外側壁面を形成している。なお、室外側下ドア枠２２３は、下ドア枠本体２２１の中空部内の補強部材に固定することで、さらに強固に固定することができる。
室外側下ドア枠２２３の室内側面には、長手方向に２条のホルダー２２３ａ，２２３ｂが形成されており、２条のホルダー２２３ａ，２２３ｂには、加熱により膨張する加熱膨張材が配置されている。なお、加熱膨張材は、上ドア枠２１と同様に、２条のホルダー２２３ａ，２２３ｂ間にさらに配置してもよい。
【００２３】
下ドア枠２２の室外側に、網戸４の網戸下枠４２が配置されている。網戸下枠４２は、中矩形状を有し、室内側面には、下ドア枠本体２２１の下方室外側面に対向するように加熱膨張材が配置されている。
【００２４】
障子３の下框３２は、アルミ合金等の金属材料からなり中空部を有する室外側下框３２１と、樹脂材料からなり中空部を有する室内側下框３２２と、アルミ合金等の金属材料からなり室外側下框３２１の室外側上面に取り付けられる押縁３２３とを有しており、室外側下框３２１の中空部内にはスチール等の金属材料からなる補強部材が配置されている。
室外側下框３２１の外周側（下方）には、下ドア枠２２に設けられたガイドローラ２２ａを案内する案内溝が形成されており、下框３２の内周にはパネル３５を保持するパネル間口が形成されている。
パネル間口内には、室内側下框３２２の内周面を覆うステンレス等の金属材料からなる補強部材が室外側下框３２１及び室外側下框３２１の中空部内に配置された補強部材にビス等により固定されて配置されている。
【００２５】
−左辺部分−
本実施形態の建具の左辺部分について、図６を参考に、以下に説明する。
左竪枠１３の室外側枠材１３１の内周面にヒンジ１ａが固定されている。また、左竪枠１３の室内側枠材１３２の室外側面には、ドア２の左竪ドア枠２３の室内側面に当接する気密材が取り付けられており、気密材の外周側位置から室内側枠材１３２の内周は、室外側部材に１３１にビス等で固定されたステンレス等の金属材料からなる補強部材によって覆われている。
【００２６】
ドア２の左竪ドア枠２３は、アルミ合金等の金属材料からなり中空部を有する左竪ドア枠本体２３１と、樹脂材料からなり中空部を有し左竪ドア枠本体２３１の室内側に取り付けられる室内側左竪ドア枠２３２とを備えており、左竪ドア枠本体２３１の中空部内には、スチール等の金属材料からなる補強部材が配置されるとともに、補強部材の内周面に加熱膨張材が設けられている。
左竪ドア枠本体２３１は、外周面に左竪枠１３に固定されたヒンジ１ａが固定され、枠体１に対してドア２を開閉自在に支持している。
【００２７】
左竪ドア枠２３の内周面は、障子３の閉鎖時に左竪框３３を受け入れる溝部が形成されており、溝部には、引寄片が設けられているとともに、加熱膨張材が配置され、溝部の室内側壁及び室外側壁に障子３の左竪框３３に当接する気密材がそれぞれ設けられている。
左竪ドア枠２３の室内側面には、障子３の閉鎖状態を維持するロック部材２３ａが配置されている。
また、左竪ドア枠２３の室外側に、網戸４の網戸左竪枠４３が配置されている。
【００２８】
障子３の左竪框３３は、アルミ合金等の金属材料からなり中空部を有する室外側左竪框３３１と、樹脂材料からなり中空部を有する室内側左竪框３３２と、アルミ合金等の金属材料からなり室外側左竪框３３１の室外側内周面に取り付けられる押縁３３３を有している。
室外側左竪框３３１の外周には、左竪ドア枠２３に設けられた引寄片に当接する引寄部材及び加熱膨張材が配置されており、中空部内には、スチール等の金属材料からなる補強部材が配置されている。
【００２９】
室内側左竪框３３２の室内側面には、左竪ドア枠２３の室内側面に配置されたロック部材２３ａが係合する被ロック部３３ａが設けられており、被ロック部３３ａ材の内周側に障子３を開閉する際などに把持する把持部３３ｂが設けられている。また、左竪框３３の内周にはパネル３５を保持するパネル間口が形成されており、パネル間口内には、室内側左竪框３３２の内周面を覆うステンレス等の金属材料からなる補強部材が室外側左竪框３３１及び室外側左竪框３３１の中空部内に配置された補強部材にビス等で固定されて配置されている。
【００３０】
−右辺部分−
本実施形態の建具の右辺部分について、図７を参考に、以下に説明する。
右竪枠１４の室内側枠材１４２の室外側面には、ドア２の右竪ドア枠２４の室内側面に当接する気密材が取り付けられており、気密材の外周側位置から室内側枠材１４２の内周は、室外側枠材に１４１に固定されたステンレス等の金属材料からなる補強部材によって覆われている。
【００３１】
ドア２の右竪ドア枠２４は、中空部を有する右竪ドア枠本体２４１と、右竪ドア枠本体２４１の室内側に取り付けられた室内側右竪ドア枠２４２と、右竪ドア枠本体２４１の室外側に取り付けられた室外側右竪ドア枠２４３を備えている。
右竪ドア枠本体２４１は、アルミ合金等の金属材料からなり外周端に煙返しが形成され、煙返しの室内側面に加熱膨張材が配置されている。また、右竪ドア枠本体２４１の中空部内には、スチール等の金属材料からなる補強部材及び加熱膨張材が配置されている。また、右竪ドア枠本体２４１にハンドル２４ａが設けられ、右竪ドア枠本体２４１の外周面に右竪枠１４に当接する気密材が取り付けられている。
【００３２】
室内側右竪ドア枠２４２は、合成樹脂等からなり中空部を有しており、右竪ドア枠本体２４１の室内側面を覆うように配置されている。
そして、室内側右竪ドア枠２４２の内周側に連続して室内側壁部材６２設けられており、室内側壁部材６２の外周が右竪ドア枠本体２４１及び室内側右竪ドア枠２４２の内周面に固定されている。
また、右竪ドア枠本体２４１の内周面及び室外側右竪ドア枠２４３の室内側面にステンレス等の金属材料からなり断面略Ｌ字状の取付金具６１が固定されており、取付金具６１には室外側右竪ドア枠２４３の内周面に配置された室外側壁補強部材（補強部材）６３が固定されている。
右竪ドア枠２４の室外側右竪ドア枠２４３の内周側であって室外側壁補強部材６３の室外側に、右竪網戸枠を兼ねる合成樹脂からなる室外側壁部材６４が配置されており、右竪ドア枠本体２４１、室内側右竪ドア枠２４２、室外側右竪ドア枠２４３、室内側壁部材６２、室外側壁補強部材６３及び室外側壁部材６４によって戸袋６を有する右竪ドア枠２４が形成されている。
【００３３】
障子３の右竪框３４は、金属材料からなり中空部を有する室外側右竪框３４１と、樹脂材料からなり中空部を有する室内側右竪框３４２とを有しており、室外側右竪框３４１の中空部内には、スチール等の金属材料からなる補強部材が配置されている。
右竪框３４の内周にはパネル３５を保持するパネル間口が形成されており、パネル間口内には、室内側右竪框３４２の内周面を覆うステンレス等の金属材料からなる補強部材が室外側右竪框３４１及び室外側右竪框３４１の中空部内に配置された補強部材にビス等により固定されて配置されている。
【００３４】
−移動規制部品の構成−
本実施形態の建具においては、ドア２と障子３との間に、火災時に障子３の反りを規制する移動規制部品８が配置されている。
移動規制部品８は、ドア２の下ドア枠２２と障子３の下框３２との間において、ガイドローラ２２ａが設けられていない部位に配置されており、図８（ａ）に示すように、下ドア枠（下枠）２２に固定される下部品８１と、下框３２に固定される上部品８２とにより構成されている。なお、移動規制部品８は、ドア２と障子３との間の略中央部にひとつ設けられていてもよく、また、ドア２と障子３の間の両端付近を含む複数の位置に設けられていても良い。
本実施形態においては、移動規制部材８の下部品８１と上部品８２は、ともにステンレス等の金属材料により形成されている。
【００３５】
図８（ｂ），図９（ａ）に示すように、下部品８１は、下ドア枠２２の下ドア枠本体２２１の内周面にビスｂ等で固定される下固定片８１ｃと、下固定片８１ｃの室内側部分を折り返して立ち上がる起立片８１ａと、起立片８１ａの見付け方向で半分部分が高さ方向中央付近で室外側に屈曲して形成される下水平片８１ｂを有している。
一方、上部品８２は、下框３２の室外側下框３２１の外周面にビスｂ等で固定される上固定片８２ｃと、上固定片８２ｃの室内側部分を折り返して垂下する垂下片８２ａと、垂下片８２ａの見付け方向で半分部分が高さ方向中央付近で室外側に屈曲して形成される上水平片８２ｂを有している。
【００３６】
そして、移動規制部品８は、図８（ｂ），図９（ｂ）に示すように、障子３の閉鎖時において、下ドア枠２２に固定された下部品８１の起立片８１ａが下框３２に固定された上部品８２の垂下片８２ａの室内側に位置するともに、下框３２の室外側下框３２１の室内側壁３２１ａの室外側に配置されように設けられ、また、下部品８１の下水平片８１ｂの上面と上部品８２の上水平片８２ｂの下面が対向するように設けられる。
【００３７】
以上の本実施形態の建具においては、以下のような効果を奏することができる。
下ドア枠２２の上面に固定される下部品８１の起立片８１ａを下框３２の室外側下框３２１の室内側壁３２１ａの室外側に配置しているので、火災によって障子３に反りが生じて障子３の下方が室外側に移動しようとしても、下框３２の室外側下框３２１の室内側壁３２１ａが下部品８１の起立片８１ａに当接してそれ以上の室外側への移動を防止することができる。
また、上部品８２の垂下片８２ａが下ドア枠２２の上面に固定される下部品８１の起立片８１ａと干渉するように配置されているので、火災によって障子３に反りが生じて障子３の下方が室内側に移動しようとしても、上部品８２の垂下片８２ａが下部品８１の起立片８１ａに当接してそれ以上の室内側への移動を防止することができる。
【００３８】
また、障子３を走行自在に支持している戸車３１ａが溶融して障子３が下方に落ち込むことがあっても、上部品８２の上水平片８２ｂが下部品８１の下水平片８１ｂの上面に載置されることで障子３がそれ以上落ち込むことを防止して、障子３の外れを防止することができる。
そして、障子３の反り等による下框３２の見込み方向の移動を規制する垂直部材（起立片もしくは垂下片）と障子３を支持する戸車の溶融による落ち込みを規制する水平部材（上水平片もしくは下水平片）を一体に形成しているので、見込み方向と見付方向のそれぞれの移動を規制する部材の位置合わせを容易にすることができる。
【００３９】
ここで、下部品８１の下水平片８１ｂの見込み方向の寸法を下框３２の室外側下框３２１の室内側壁３２１ａと垂下片８２ａの間隔よりも大きくすることで、障子３が室外側に大きく変形して下框３２の室外側下框３２１の室内側壁３２１ａに下部品８１の起立片８１ａに当接した状態でも上水平片８２ｂが下水平片８１ｂに確実に載置されて障子３の落ち込みを防止することができる。
【００４０】
なお、上記の実施形態においては、移動規制部品８の下部品８１の起立片８１ａが上部品８２の垂下片８２ａの室内側に配置するように取り付けられているが、下部品８１の起立片８１ａを上部品８２の垂下片８２ａの室外側に配置して、下框３２の室外側下框３２１の室外側壁と垂下片８２ａとの間に下部品８１の起立片８１ａを配置して障子３の下方の移動を規制しても良い。
また、上記実施形態の建具の例は一例であって、本発明の建具はドアに限るものではなく、建具の種類は何ら限定されるものではない。
【符号の説明】
【００４１】
１        ：枠体
２        ：ドア
３        ：障子
８        ：移動規制部品
２２      ：下ドア枠
３２      ：下框
３２１    ：室外側下框
３２１ａ  ：室内側壁
８１      ：下部品
８１ａ    ：起立片
８１ｂ    ：下水平片
８１ｃ    ：下固定片
８２      ：上部品
８２ａ    ：垂下片
８２ｂ    ：上水平片
８２ｃ    ：上固定片
【図１】
2019151978.tif 000003
【図２】
2019151978.tif 000004
【図３】
2019151978.tif 000005
【図４】
2019151978.tif 000006
【図５】
2019151978.tif 000007
【図６】
2019151978.tif 000008
【図７】
2019151978.tif 000009
【図８】
2019151978.tif 000010
【図９】
2019151978.tif 000011